(57)【要約】      （修正有）【課題】表示されるコンテンツとディスプレイのそれぞれの輝度情報を把握可能なコンテンツ処理装置を提供する。【解決手段】接続される表示装置にコンテンツを出力させるコンテンツ処理装置であって、コンテンツに含まれるサービス情報から、前記コンテンツに含まれる映像輝度情報を取得する第１取得ステップと、表示装置が表示する際の表示輝度情報を当該表示装置から取得する第２取得ステップと、前記映像輝度情報と前記表示輝度情報に基づく情報を、前記表示装置を介して前記コンテンツを視聴する視聴者へ報知する情報処理ステップと、を有する。【選択図】図１０
2017184205.tif 000002
【特許請求の範囲】
【請求項１】
接続される表示装置にコンテンツを出力させるコンテンツ処理装置であって、
コンテンツに含まれるサービス情報から、前記コンテンツに含まれる映像輝度情報を取得する第１取得部と、
表示装置が表示する際の表示輝度情報を取得する第２取得部と、
前記映像輝度情報と前記表示輝度情報に基づく情報を、前記表示装置を介して前記コンテンツを視聴する視聴者へ報知する情報処理部と、
を有するコンテンツ処理装置。
【請求項２】
前記情報処理部は、
前記コンテンツに関する情報を表示する画面に前記映像輝度情報と前記表示輝度情報に基づく情報を映像データに対して合成し前記表示装置に表示させる
請求項１記載のコンテンツ処理装置。
【請求項３】
前記映像輝度情報と前記表示輝度情報に基づいて、前記映像輝度情報が表す輝度と前記表示輝度情報が表す輝度の大小関係に応じた表示態様で表示する輝度情報表示画面を生成する表示画面生成部を有し、
前記情報処理部は、前記コンテンツに関する情報を表示する画面とともに、前記生成された輝度情報表示画面を前記表示装置に表示させる
請求項１または請求項２記載のコンテンツ処理装置。
【請求項４】
前記表示画面生成部は、
前記映像輝度情報が表す輝度に対する前記表示輝度情報が表す輝度の比に応じて異なる表示態様で表示する輝度情報表示画面を生成する
請求項３に記載のコンテンツ処理装置。
【請求項５】
前記情報処理部は、前記映像輝度情報と前記表示輝度情報に基づく情報を、前記コンテンツの番組表におけるコンテンツ情報に対応させて前記表示装置に表示させる
請求項１記載のコンテンツ処理装置。
【請求項６】
前記第２取得部は、
当該表示装置または前記表示輝度情報を記憶する記憶領域から前記表示輝度情報を取得する
請求項１から請求項５のうちいずれか１項に記載のコンテンツ処理装置。
【請求項７】
前記表示装置を含んで構成される
請求項１から請求項６のうちいずれか１項に記載のコンテンツ処理装置。
【請求項８】
コンテンツを受信する受信装置と、表示装置と、前記受信したコンテンツを前記表示装置に出力させるコンテンツ処理装置とを含むテレビジョン受信装置であって、
前記コンテンツ処理装置は、
前記コンテンツに含まれるサービス情報から、前記コンテンツに含まれる映像輝度情報を取得する第１取得部と、
前記表示装置が表示する際の表示輝度情報を取得する第２取得部と、
前記映像輝度情報と前記表示輝度情報に基づく情報を、前記表示装置を介して前記コンテンツを視聴する視聴者へ報知する情報処理部と、
を有するテレビジョン受信装置。
【請求項９】
接続される表示装置にコンテンツを出力させるコンテンツ処理装置における情報処理方法であって、
第１取得部が、コンテンツに含まれるサービス情報から、前記コンテンツに含まれる映像輝度情報を取得するステップと、
第２取得部が、表示装置が表示する際の表示輝度情報を当該表示装置から取得するステップと、
情報処理部が、前記映像輝度情報と前記表示輝度情報に基づく情報を、前記表示装置を介して前記コンテンツを視聴する視聴者へ報知するステップと
を有するコンテンツ処理装置における情報処理方法。
【請求項１０】
接続される表示装置にコンテンツを出力させるコンテンツ処理装置のコンピュータに、
コンテンツに含まれるサービス情報から、前記コンテンツに含まれる映像輝度情報を取得するステップ、
表示装置が表示する際の表示輝度情報を当該表示装置から取得するステップ、
前記映像輝度情報と前記表示輝度情報に基づく情報を、前記表示装置を介して前記コンテンツを視聴する視聴者へ報知するステップ、
を実行させるためのプログラム。
【発明の詳細な説明】
【技術分野】
【０００１】
本発明は、コンテンツ処理装置、テレビジョン受信装置、コンテンツ処理装置における情報処理方法、プログラムに関する。
【背景技術】
【０００２】
近年、映像の高画質化技術として、最大輝度値を高めたHDR(High Dynamic Range)と呼ばれる方式が注目されており、規格団体における標準化が進められている。従来の方式(SDR:Standard Dynamic Range)では、映像の最大輝度が１００ｃｄ／ｍ２であったものに対して、HDRでは１０００ｃｄ／ｍ２以上に拡張されており、コンテンツの輝度レンジがディスプレイの輝度レンジと比べて大幅に拡張される。ここでいうコンテンツとは、映像・音声・字幕等のデータを含む、映画や放送番組などを構成する全ての要素である。このような、HDR方式かSDR方式かを識別する放送受信装置もある（特許文献１参照）。
【先行技術文献】
【特許文献】
【０００３】
【特許文献１】特開２００９−１７７７０６号公報
【発明の概要】
【発明が解決しようとする課題】
【０００４】
ここで、ディスプレイとしては、従来のSDR方式に加えて、新たにHDR方式のコンテンツを入力映像として扱う事になる為、ディスプレイに入力されているコンテンツがどちらの方式なのかであるかを明示してユーザに提示できることが考えられる。
しかしながら、HDR方式だとしてもコンテンツの持つ最大輝度はまちまちであり、単にHDR方式かSDR方式であるかを明示しただけでは、コンテンツの特性を把握することができない。また、HDRコンテンツを表示するディスプレイの表示輝度が、コンテンツ最大輝度に比べて低い場合には、輝度の圧縮や飽和などの処理が行われるため、明示したコンテンツの輝度がディスプレイ上で再現できておらず、明示した輝度と実際に表示されている輝度に生じてしまった齟齬については、把握することができない。
また、上述の表示輝度は、ディスプレイの設定によって変更されている場合もあり、設定値の調整によっては、輝度の圧縮や飽和などを低減できる可能性があるが、上述の齟齬を把握できなければ、そのような調整も行なうことができない。
【０００５】
本発明は、このような事情に鑑みてなされたもので、その目的は、表示されるコンテンツとディスプレイのそれぞれの輝度情報を把握可能なコンテンツ処理装置、テレビジョン受信装置、コンテンツ処理装置における情報処理方法、プログラムを提供することにある。
【課題を解決するための手段】
【０００６】
上述した課題を解決するために、本発明は、接続される表示装置にコンテンツを出力させるコンテンツ処理装置であって、コンテンツに含まれるサービス情報から、前記コンテンツに含まれる映像輝度情報を取得する第１取得部と、表示装置が表示する際の表示輝度情報を取得する第２取得部と、前記映像輝度情報と前記表示輝度情報に基づく情報を、前記表示装置を介して前記コンテンツを視聴する視聴者へ報知する情報処理部と、を有する。
【発明の効果】
【０００７】
以上説明したように、この発明によれば、コンテンツに含まれる映像輝度情報と表示輝度情報とを表示装置を介して報知させるようにしたので、映像輝度情報と表示輝度情報との齟齬に関して容易に把握することができる。
【図面の簡単な説明】
【０００８】
【図１】第１の実施形態に係る放送システムの構成を示す概略ブロック図である。
【図２】信号レベルと輝度の関係の一例を示す図である。
【図３】信号レベルと輝度の関係の他の例を示す図である。
【図４】第１の実施形態に係る送信装置の構成を示す概略ブロック図である。
【図５】ＭＰＴのデータ構造の一例を示す図である。
【図６】映像コンポーネント記述子のデータ構造の一例を示す図である。
【図７】輝度フラグの設定例を示す図である。
【図８】ＭＨ−ＥＩＴのデータ構造の一例を示す図である。
【図９】第１の実施形態に係る受信装置の構成を示す概略ブロック図である。
【図１０】受信装置１０の動作を説明するフローチャートである。
【図１１】表示部１５に表示される情報の一例を説明する概念図である。
【図１２】表示部１５に表示されるコンテンツ情報の一例を示す概念図である。
【図１３】表示部１５に表示される他の表示例を説明する概念図である。
【図１４】表示部１５に表示される他の表示例を説明する概念図である。
【図１５】表示部１５に表示される他の表示例を説明する概念図である。
【図１６】表示部１５に表示される他の表示例を説明する概念図である。
【図１７】表示部１５に表示される他の表示例を説明する概念図である。
【図１８】表示部１５に表示される他の表示例を説明する概念図である。
【図１９】表示部１５に表示される他の表示例を説明する概念図である。
【図２０】表示部１５に表示される他の表示例を説明する概念図である。
【図２１】表示部１５に表示される他の表示例を説明する概念図である。
【図２２】表示部１５に表示される他の表示例を説明する概念図である。
【発明を実施するための形態】
【０００９】
以下、本発明の実施形態について、図面を参照して説明する。
［第１の実施形態］
まず、本発明の第１の実施形態に係る放送システム１の概要について説明する。
図１は、本実施形態に係る放送システム１の構成を示す概略ブロック図である。
放送システム１は、送信装置２０と受信装置１０とを含んで構成される。
送信装置２０は、放送番組を表す放送番組データを、放送伝送路ＢＴを介して受信装置に送信する。放送伝送路ＢＴは、放送番組データを不特定多数の受信装置１０に一方的かつ一斉に送信する伝送路である。放送伝送路ＢＴは、例えば、所定の周波数帯域を有する放送波である。放送伝送路ＢＴは、放送波を中継する放送衛星ＢＳを含んで構成されてもよい。放送伝送路ＢＴには、その一部にネットワーク、例えば、専用回線、ＶＰＮ（Ｖｉｒｔｕａｌ  Ｐｒｉｖａｔｅ  Ｎｅｔｗｏｒｋ）が含まれてもよい。受信装置１０は、放送伝送路ＢＴを介して伝送された放送番組データを受信する。受信装置１０は、受信した放送番組データを構成する映像データに基づく映像を表示する。受信装置１０は、例えば、テレビジョン受信装置など、放送番組データを受信し、受信した放送番組データに係る映像を表示することができる電子機器である。送信装置２０、受信装置１０の数は、一般には複数であるが、以下では、それぞれの数が１個であると仮定して説明する。また、放送システム１は、メディアトランスポート方式としてＭＭＴ（ＭＰＥＧ  Ｍｅｄｉａ  Ｔｒａｎｓｐｏｒｔ）方式を用いる場合を例にする。
【００１０】
放送システム１は、輝度のダイナミックレンジが、互いに異なる複数の放送番組を放送することができる。言い換えれば、放送システム１において、ＨＤＲ放送番組とＳＤＲ放送番組が放送される。ＨＤＲ放送番組は、輝度範囲がＨＤＲであるＨＤＲ映像を構成要素として含む放送番組である。ＳＤＲ放送番組は、輝度範囲がＳＤＲであるＳＤＲ映像を構成要素として含む放送番組である。ＨＤＲ映像を表す映像データ、ＳＤＲ映像を表す映像データを、それぞれＨＤＲ映像データ、ＳＤＲ映像データと呼ぶ。
【００１１】
（映像の輝度）
輝度には、光学輝度と画像輝度との２種類がある。光学輝度とは、光源の明るさを表す物理量の１つである。光学輝度は、例えば、ディスプレイの明るさを表すときに用いられる。本実施形態では、一例として、０〜２０００ｃｄ／ｍ２の輝度範囲をＨＤＲと称し、０〜１００ｃｄ／ｍ２の輝度範囲をＳＤＲと称する。つまり、ＨＤＲは、ＳＤＲによりも広い光学輝度のダイナミックレンジを示す。なお、ＨＤＲ、ＳＤＲの輝度範囲は上述したものに限定されず、例えば、放送システムに応じて任意に定められてよい。以下では、光学輝度のダイナミックレンジを単にダイナミックレンジと呼ぶことがある。画像輝度とは、映像の明るさを表す信号レベル又はその相対値で表される輝度を意味する。以下、光学輝度、画像輝度を、それぞれ単に輝度と呼ぶことがある。
【００１２】
放送システム１は、ＨＤＲ映像データ又はＳＤＲ映像データを含む放送番組データを伝送する。ＨＤＲ映像データは、例えば、SMPTE ST.2084-2014により規定される映像フォーマットで構成される。この映像フォーマットを、ＨＤＲ形式と呼ぶ。ＨＤＲ形式は、ＳＤＲ映像データにも適用可能であり、ＵＨＤＴＶ（Ｕｌｔｒａ−Ｈｉｇｈ  Ｄｅｆｉｎｉｔｉｏｎ  Ｔｅｌｅｖｉｓｉｏｎ）に用いられる、以下では、一例として、映像データがＹＣｂＣｒの色空間で表現されるデータである場合について説明する。ただし、映像ソースは、ＲＧＢ等の他の色空間で表現されるデータであってもよい。
【００１３】
ＨＤＲ形式では、画像輝度の信号レベルと、輝度範囲としてＨＤＲとが対応付けられている。例えば、図２に示すようにＨＤＲ形式において、０〜５０％の画像輝度の信号レベルは、０〜１００ｃｄ／ｍ２の光学輝度に対応し、５０〜１００％の画像輝度の信号レベルは、例えば、１００〜２０００ｃｄ／ｍ２の光学輝度に対応する。従って、ＨＤＲ形式により伝送されるＨＤＲ映像データでは、画像輝度の信号レベルは、０〜１００％の範囲を取りうる。以下では、映像データについて、とりうる信号レベルの範囲を、レベル範囲と称する。この例では、ＨＤＲ映像データを構成する画素毎の信号値の最小値（例えば、黒レベル；ｂｌａｃｋ  ｌｅｖｅｌ）、最大値（例えば、公称ピーク；ｎｏｍｉｎａｌ  ｐｅａｋ）が、それぞれ０、１００％に対応する。画素毎の信号値が１０ビットで表される場合、黒レベル、公称ピークの信号値は、例えば、６４、９４０である。
【００１４】
ＳＤＲ映像データは、例えば、Ｒｅｃ．ＩＴＵ−Ｒ  ＢＴ．７０９により規定される映像フォーマットである。この映像フォーマットを、ＳＤＲ形式と呼ぶ。ＳＤＲ形式は、ＨＤＴＶ（Ｈｉｇｈ  Ｄｅｆｉｎｉｔｉｏｎ  Ｔｅｌｅｖｉｓｉｏｎ）に用いられる。ＳＤＲ形式では、画像輝度の信号レベルと、ＳＤＲとが対応付けられている。例えば、図３に示すようにＳＤＲ形式では、０〜１００％のレベル範囲は０〜１００ｃｄ／ｍ２の光学輝度に対応する。ＳＤＲ映像データの画像輝度の信号レベルは、０〜１００％の範囲を取りうる。この例では、ＳＤＲ映像データを構成する画素毎の信号値の最小値、最大値が、それぞれ０、１００％に対応する。画素毎の信号値が８ビットで表される場合、黒レベル、公称ピークの信号値は、例えば、１６、２３５である。
以下の説明では、主にＨＤＲ映像の画像輝度の範囲のうち０〜５０％の範囲に対応する光学輝度が、ＳＤＲ映像の画像輝度の範囲（０〜１００％）に対応する光学輝度の範囲（０〜１００ｃｄ／ｍ２）である場合を例にする。
【００１５】
次に、受信装置１０が備える表示部１５（図９）について説明する。表示部１５は、受信装置１０とは、別体の表示装置として構成されてもよい。表示部１５は、光学輝度の範囲がＨＤＲでも、ＳＤＲでも映像を表示可能なディスプレイである。具体的には、表示部１５は、入力されたＨＤＲ映像信号について、画像輝度の信号レベルが０〜５０［％］である場合には、０〜１００［ｃｄ／ｍ２］の光学輝度で表示する。また、表示部１５は、信号レベルが５０〜１００［％］である場合には、１００〜２０００［ｃｄ／ｍ２］の光学輝度で表示する。具体的には、表示部１５は、例えば、図２に例示する電光伝達関数（ＥＯＴＦ、Ｅｌｅｃｔｒｏ  Ｏｐｔｉｃａｌ  Ｔｒａｎｓｆｅｒ  Ｆｕｎｃｔｉｏｎ）に基づいて、画像輝度の信号レベルに応じた光学輝度で表示を行う。ＥＯＴＦとは、ディスプレイに入力される輝度の信号値と、ディスプレイが表示する輝度との対応関係を記述する関数である。
また、表示部１５は、自機に設けられた表示パネルに表示された映像の輝度を測定し、測定結果を表示輝度情報として表示制御部１７７に出力する機能を有する。この機能は、映像情報から表示輝度を演算によって求めても良いし、直接表示輝度を測定する輝度センサを用いても良い。輝度センサを用いた場合には、例えば、表示パネルの表示面上の目立ちにくい位置（画面四隅のいずれか、または画面の四辺のうちいずれかの辺のうちの近傍）設けられるようにしてもよい。
【００１６】
（処理の概要）
次に、放送番組用の映像データの撮像から、映像が表示部１５に表示されるまでの処理の概要を説明する。ここで、映像データの撮像装置（図示せず）は、被写体ＳＵ１、ＳＵ２を撮像し、被写体ＳＵ１、ＳＵ２の光学輝度が、それぞれ５０、１０００［ｃｄ／ｍ２］であることを例にする。被写体ＳＵ１の光学輝度は、ＳＤＲの範囲内であるが、被写体ＳＵ２の光学輝度は、ＳＤＲの上限を超える。送信装置２０は、撮像された映像データを、ＳＤＲ映像データ又はＨＤＲ映像データとして放送番組データの構成要素として受信装置１０に送信する。受信装置１０は、送信装置２０から受信した放送番組データから映像データを取得し、取得した映像データを表示部１５に出力する。
【００１７】
映像データが、ＳＤＲ映像データである場合、被写体ＳＵ１の信号レベルは、０〜１００％の範囲内である。他方、被写体ＳＵ２の光学輝度に対応する信号レベルは、１００％を超えるため１００％となる。そのため、表示部１５は、被写体ＳＵ１を５０ｃｄ／ｍ２の範囲内の光学輝度で表示するのに対し、被写体ＳＵ２が表示される光学輝度は、その上限１００ｃｄ／ｍ２に抑えられる。
映像データが、ＨＤＲ映像データである場合、被写体ＳＵ１、ＳＵ２の信号レベルは、０〜５０％、５０〜１００％の範囲内である。そのため、表示部１５は、被写体ＳＵ１、ＳＵ２をそれぞれ、撮像により得られた光学輝度に等しい５０、１０００［ｃｄ／ｍ２］の光学輝度で表示する。
このように、ＨＤＲディスプレイで表示されるＨＤＲ映像は、撮像により得られた光学輝度が画像輝度の信号レベルに対応する輝度範囲がＳＤＲ映像よりも広い。そのため、被写体ＳＵ１と被写体ＳＵ２は異なる光学輝度で表現される。
【００１８】
ここでいう輝度情報は、輝度すなわち上述の光学輝度の輝度範囲であってもよいし、コントラスト比であってもよい。また、基準値としては、任意に決まる値を用いてもよく、ＳＤＲの輝度範囲を用いてもよい。ＳＤＲの輝度範囲を用いる場合は、ＳＤＲの輝度範囲における最大値を基準値とし、コンテンツの輝度（輝度範囲）が、これを超える輝度（輝度範囲）であるか否かを判定する。ここでいうコンテンツとは、例えば、映像・音声・字幕等のデータを含む、映画や放送番組などを構成する全ての要素である。
【００１９】
（送信装置の構成）
次に、本実施形態に係る送信装置２０の構成について説明する。
図４は、本実施形態に係る送信装置２０の構成を示す概略ブロック図である。
送信装置２０は、放送番組データとサービス情報とを多重化し、多重化した多重化データを放送波で送信する。送信装置２０は、サービス情報取得部２１０、放送コンテンツ取得部２２０、多重化部２３０、変調部２４０、及び送信部２５０を含んで構成される。
【００２０】
サービス情報取得部２１０は、サービス情報を取得する。サービス情報とは、放送番組の提供形態、構成など放送サービスの提供に関する情報である。サービス情報は、例えば、ＭＭＴ方式におけるＭＭＴ−ＳＩ（Ｓｅｒｖｉｃｅ  Ｉｎｆｏｒｍａｔｉｏｎ）である。ＭＭＴ−ＳＩ情報には、例えば、ＭＰＴ（ＭＭＴ  Ｐａｃｋａｇｅ  Ｔａｂｌｅ；ＭＭＴパッケージテーブル）、ＭＨ−ＥＩＴ（ＭＨ−イベント情報テーブル、ＭＨ−Ｅｖｅｎｔ  Ｉｎｆｏｒｍａｔｉｏｎ  Ｔａｂｌｅ）が含まれる。ＭＰＴは、放送番組の構成要素であるアセット、つまり映像、音声のリストや、それらの提供条件を示す情報を含むテーブルである。ＭＨ−ＥＩＴは、番組に関する情報、例えば、番組の名称、放送日時、放送内容の説明などを示す情報を含むテーブルである。放送される映像の輝度情報を示す輝度フラグは、例えば、ＭＰＴに含まれる。言い換えれば、輝度フラグは、輝度範囲がＨＤＲであるかＳＤＲであるかを示す。番組の名称、放送日時、放送内容の説明など、番組に関する情報を伝送するテーブルであるＭＨ−ＥＩＴ（ＭＨ−イベント情報テーブル、ＭＨ−Ｅｖｅｎｔ  Ｉｎｆｏｒｍａｔｉｏｎ  Ｔａｂｌｅ）が含まれる。サービス情報取得部２１０は、取得したサービス情報を所定時間（例えば、０．１〜０．５ｍｓ）毎に多重化部２３０に出力する。サービス情報は、番組の進行に応じて更新されるが、更新されない場合には、同一のサービス情報が複数回繰り返されることがある。これにより、受信装置１０が任意の時点で受信した放送信号に基づいて放送番組を提示することができる。
【００２１】
放送コンテンツ取得部２２０は、放送番組データを取得する。放送番組データは、放送番組の内容（コンテンツ）を表すデータである。放送番組データは、例えば、放送番組で提供される映像データ、音声データなどが含まれる。放送コンテンツ取得部２２０は、取得した放送番組データを多重化部２３０に出力する。
【００２２】
多重化部２３０には、サービス情報取得部２１０から入力されたサービス情報と、放送コンテンツ取得部２２０から入力された放送番組データを多重化して多重化データを生成する。多重化部２３０は、生成した多重化データを変調部２４０に出力する。
変調部２４０は、多重化部２３０から入力された多重化データを変調して所定の放送周波数帯域を有する放送信号を生成し、生成した放送信号を送信部２５０に出力する。
送信部２５０は、変調部２４０から入力された放送信号を放送伝送路ＢＴに出力する。
これにより、放送番組データとサービス情報を多重化した多重化データを搬送する放送信号が放送伝送路ＢＴを介して伝送される。放送信号は、例えば、放送波として伝送される。
【００２３】
（ＭＰＴ）
次に、ＭＰＴのデータ構造について説明する。
図５は、ＭＰＴのデータ構造の一例を示す図である。ＭＰＴは、アセットタイプ（ａｓｓｅｔ＿ｔｙｐｅ）と、アセット記述子領域（ａｓｓｅｔ＿ｄｅｓｃｒｉｐｔｏｒｓ＿ｂｙｔｅ）をアセット毎に含んで構成される。アセットタイプ（ａｓｓｅｔ＿ｔｙｐｅ）は、アセットの種類を示す情報である。例えば、アセットタイプとして「ｈｖｃ１」が記述されるアセットは映像を示し、アセットタイプとして「ｍｐ４ａ」が記述されるアセットは音声を示す。
アセット記述子領域は、アセットについての情報を記述する記述子を格納する領域である。アセット記述子領域には、例えば、映像コンポーネント記述子（Ｖｉｄｅｏ＿Ｃｏｍｐｏｎｅｎｔ＿Ｄｅｓｃｒｉｐｔｏｒ）が記述される。
【００２４】
（映像コンポーネント記述子）
次に、映像コンポーネント記述子について説明する。
図６は、映像コンポーネント記述子のデータ構造の一例を示す図である。映像コンポーネント記述子は、映像コンポーネントに関するパラメータや説明を示す記述子である。映像コンポーネント記述子には、未使用パラメータ（ｒｅｓｅｒｖｅｄ）と、コンポーネント記述（ｔｅｘｔ＿ｃｈａｒ）とを含む。本実施形態では、未使用パラメータ（ｒｅｓｅｒｖｅｄ）と、コンポーネント記述（ｔｅｘｔ＿ｃｈａｒ）のいずれかに輝度情報として輝度フラグが記述される。輝度フラグにより、放送される映像の輝度範囲がＨＤＲであるかＳＤＲであるかが指定される。また、本実施形態では、未使用パラメータ（ｒｅｓｅｒｖｅｄ）と、コンポーネント記述（ｔｅｘｔ＿ｃｈａｒ）のいずれかに、コンテンツの輝度値を表す映像輝度情報が記述される。映像輝度情報は、ＨＤＲのコンテンツの輝度値を表す情報であるＨＤＲコンテンツ輝度情報を用いることができる。ＨＤＲコンテンツ輝度情報は、規格の最大輝度に対して実質的なコンテンツ最大輝度値、例えば、HDMI（登録商標）(High-Definition Multimedia Interface)2.0aの規格により規定されるMAXCLL（Maximum Content Light Level）の輝度値を用いることができる。
【００２５】
（輝度フラグ）
図７は、輝度フラグの値の設定例を示す図である。
輝度フラグ（ｖｉｄｅｏ＿ｈｄｒ＿ｆｌａｇ）は、図７に例示されるように、１ビットの情報を有し、１又は０の値をとりうる。値が０であることは、輝度範囲がＳＤＲであり、値が１であることは、輝度範囲がＨＤＲであることを示す。輝度フラグで指定される輝度範囲は、放送番組、１つの放送番組を構成するセグメント（コーナーとも呼ばれる）、１つの放送番組に含まれるＣＭ、などのそれぞれについて設定されることがある。
【００２６】
（ＭＨ−ＥＩＴ）
次に、ＭＨ−ＥＩＴについて説明する。図８は、ＭＨ−ＥＩＴのデータ構造の一例を示す図である。
図８に示す例では、ＭＨ−ＥＩＴ（ＭＨ−Ｅｖｅｎｔ＿Ｉｎｆｏｒｍａｔｉｏｎ＿Ｔａｂｌｅ（））は、イベント識別（ｅｖｅｎｔ＿ＩＤ）、開始時刻（ｓｔａｒｔ＿ｔｉｍｅ）、継続時間（ｄｕｒａｔｉｏｎ）を含む。イベント識別とは、イベントの識別番号を示す。具体的には、例えば、イベント識別は、番組の識別情報を示す。開始時刻は、イベントの開始時刻を示す。つまり、開始時刻は、番組の開始時刻（日時）を示す。継続時間は、イベントの継続時間を示す。つまり、継続時間は、番組の放送時間長を示す。
【００２７】
また、ＭＨ−ＥＩＴは、イベント識別毎に記述子領域（ｄｅｓｃｒｉｐｔｏｒ（））を含む。記述子領域は、記述子を格納する領域である。ＭＨ−ＥＩＴは、例えば、映像コンポーネント記述子を含むことができる。また、記述子領域には、ＭＨ−拡張形式イベント記述子（ＭＨ−Ｅｘｔｅｍｄｅｄ＿Ｅｖｅｎｔ＿Ｄｅｓｃｒｉｐｔｏｒ（））を含むことができる。ＭＨ−拡張形式イベント記述子には、各番組に関する詳細情報が記述される。
詳細情報には、出演者、制作者、などの他、番組の一部であるセグメント（コーナーとも呼ばれる）毎の情報、例えば、提供開始時刻、継続時間、輝度フラグなどが含まれてもよい。
【００２８】
（受信装置）
次に、本実施形態に係る受信装置１０の構成について説明する。
図９は、本実施形態に係る受信装置１０の構成を示す概略ブロック図である。
受信装置１０は、放送受信部１１、入力部１２、拡声部１４、表示部１５、記憶部１６及び制御部１７を含んで構成される。
放送受信部１１は、放送伝送路ＢＴを介して送信装置２０から伝送された放送信号のうち、制御部１７の選局部１７８からの選局信号で指定されるチャンネルで伝送された放送信号を受信する。放送受信部１１は、例えば、放送波を受信するチューナーを含んで構成される。チューナーは、選局信号で指定されたチャンネルに対応した周波数帯域の放送波を受信する。放送受信部１１は、受信した放送信号を制御部１７の復調部１７１に出力する。
【００２９】
入力部１２には、ユーザの操作によって生成された操作信号が入力される。入力部１２は、例えば、制御装置（リモコン）ＲＣからの操作信号を無線で受信する無線インターフェースを含んで構成される。操作信号は、例えば、電源のオン／オフ、放送波を受信するチャンネル、音量、輝度、コントラストなどの情報を指定する。入力部１２は、操作信号を制御部１７に出力する。なお、入力部１２は、ユーザの操作を受け付けるための物理的な部材、例えば、各種のボタン、つまみなどを含んで構成され、操作に応じた操作信号を生成してもよい。
【００３０】
拡声部１４は、制御部１７の音声処理部１７３から入力された音声データに基づく音声を再生する。拡声部１４は、例えば、スピーカーを含んで構成される。
表示部１５は、制御部１７の映像処理部１７４から入力された映像データに基づく映像を再生する。表示部１５は、上述したようにＨＤＲ映像データに基づくＨＤＲ映像と、ＳＤＲ映像データに基づくＳＤＲ映像とを表示可能なディスプレイである。
記憶部１６は、制御部１７で用いられる設定データ、制御部１７で取得されたデータなど各種のデータを記憶する。記憶部１６は、ＲＡＭ（Ｒａｎｄｏｍ  Ａｃｃｅｓｓ  Ｍｅｍｏｒｙ）、ＲＯＭ（Ｒｅａｄ−ｏｎｌｙ  Ｍｅｍｏｒｙ）などの各種の記憶媒体を含んで構成される。また、記憶部１６は、受信した放送番組の映像データや、予め制作された映画などのコンテンツの映像データを記憶する記憶媒体（例えば、ＢＤ（Ｂｌｕ−ｒａｙ（登録商標）Ｄｉｓｃ））を含んで構成されてもよい。記憶部１６には、放送番組データと、当該放送番組データに多重化されたサービス情報とが対応付けて記憶されてもよい。
【００３１】
制御部１７は、受信装置１０の動作に係る各種の処理を行う。制御部１７は、復調部１７１、分離部１７２、音声処理部１７３、映像処理部１７４及び表示処理部１７５を含んで構成される。表示処理部１７５は、ＳＩ処理部１７６、表示制御部１７７、選局部１７８及びレベル制御部１７９を含んで構成される。制御部１７は、ＣＰＵ（Ｃｅｎｔｒａｌ  Ｐｒｏｃｅｓｓｉｎｇ  Ｕｎｉｔ）等の制御回路を含んで構成される。制御部１７は、記憶部１６から読み取った制御プログラムが表す命令で指示された処理を実行することにより、復調部１７１、分離部１７２、音声処理部１７３、映像処理部１７４、表示処理部１７５などの機能を実現してもよい。
【００３２】
復調部１７１は、放送受信部１１から入力された放送信号を復調して、多重化データを生成する。復調部１７１で用いられる復調方式は、変調部２４０（図４）で用いられる変調方式に対応する復調方式である。復調部１７１は、生成した多重化データを分離部１７２に出力する。
【００３３】
分離部１７２は、復調部１７１から入力された多重化データから放送番組データとサービス情報とを分離する。また、分離部１７２は、放送番組データから音声データと、映像データとを分離する。分離部１７２は、分離した音声データを音声処理部１７３に出力し、分離した映像データを映像処理部１７４に出力する。分離部１７２は、分離したサービス情報を表示処理部１７５に出力する。
【００３４】
音声処理部１７３は、分離部１７２から入力された音声データ（符号化されている）を復号し、復号した音声データを生成する。音声処理部１７３が用いる音声復号方式は、音声データの符号化に用いられた符号化方式に対応する音声復号方式（例えば、ＭＰＥＧ−４オーディオ）である。音声処理部１７３は、復号により生成された音声データを拡声部１４に出力する。
【００３５】
映像処理部１７４は、分離部１７２から入力された映像データ（符号化されている）をＳＩ処理部１７６から入力された輝度情報が示す輝度範囲で復号し、復号した映像データを生成する。映像処理部１７４が用いる映像復号方式は、映像データの符号化に用いられた符号化方式に対応する映像復号方式（例えば、ＨＥＶＣ：Ｈｉｇｈ  Ｅｆｆｉｃｉｅｎｃｙ  Ｖｉｄｅｏ  Ｃｏｄｉｎｇ）である。以下の説明では、分離部１７２から入力された映像データが示す映像を放送映像と呼ぶことがある。
映像処理部１７４は、表示制御部１７７からの指示に従い、ＳＩ処理部１７６が取得した映像輝度情報と表示輝度情報とに基づく情報を表示部１５に表示させる。映像処理部１７４は、コンテンツに関する情報を表示する画面に映像輝度情報と表示輝度情報とに基づく情報を表示部１５に表示させるにあたり、映像輝度情報と表示輝度情報とに基づく情報を分離部１７２から得られる映像データの画面上に合成し、表示部１５に表示する。映像処理部１７４は、この合成された情報を表示部１５に表示するにあたり、映像輝度情報と表示輝度情報に基づく情報を含むＯＳＤ（On-screen display）画面を映像データの画面上に表示するように合成することもできる。
【００３６】
また、映像処理部１７４は、レベル制御部１７９の判定結果に基づいて、映像データの輝度が基準値より高い場合に、ＨＤＲであることを把握することもできる。
【００３７】
また、映像処理部１７４は、映像データが示す各画素の信号レベルが、レベル制御部１７９から入力された輝度範囲設定が示す輝度範囲内である画素について、その信号レベルを変更せずに維持する。映像処理部１７４は、映像データが示す各画素の信号レベルが、レベル制御部１７９から入力された輝度範囲設定が示す輝度範囲よりも信号レベルが大きい（または小さい）画素について、その信号レベルを輝度範囲毎の信号レベルの最大値（または最小値）に定める。映像処理部１７４は、調整された映像を示す映像データを表示部１５に出力する。
【００３８】
表示処理部１７５は、映像の表示に関する処理を行う。表示処理部１７５は、ＳＩ処理部１７６、表示制御部１７７、選局部１７８及びレベル制御部１７９を含んで構成される。
ＳＩ処理部１７６は、分離部１７２から入力されたサービス情報を解析する。具体的には、ＳＩ処理部１７６は、サービス情報からＭＰＴの映像コンポーネント記述子を抽出し、輝度フラグに設定された値を参照することにより輝度情報を取得する。例えば、ＳＩ処理部１７６は、コンテンツのサービス情報から、コンテンツに含まれる映像の映像輝度情報の取得と、表示部が表示可能な輝度を表す表示輝度情報を取得する。
ＳＩ処理部１７６は、取得した輝度情報を、映像処理部１７４、表示制御部１７７及びレベル制御部１７９に出力する。ＳＩ処理部１７６は、サービス情報からＭＨ−ＥＩＴを抽出し、抽出したＭＨ−ＥＩＴが示す番組情報を表示制御部１７７とレベル制御部１７９に出力する。
【００３９】
表示制御部１７７は、入力部１２からの操作信号、ＳＩ処理部１７６からの情報の一方又は両方に基づいて表示部１５に表示させるグラフィック画面の表示の要否、グラフィック画面の取得、変更などを制御する。グラフィック画面には、ＳＩ処理部１７６から得られる映像輝度情報（メタデータ）と表示輝度情報とに基づく情報を含むようにすることができる。表示輝度情報については、表示部１５において表示パネルの輝度が測定されたディスプレイ輝度データを取得し、これを用いるか、記憶部１６にディスプレイ輝度データが予め受信装置１０内（例えば記憶部１６）に記憶される場合にはこれを読み出し、これを用いることができる。
また、グラフィック画面としては、例えば、ＯＳＤ画面を利用することもできる。表示制御部１７７は、例えばこのグラフィック画面を映像処理部１７４に出力することで、映像処理部１７４において、映像信号とＯＳＤ画面とを合成させ、表示部１５に表示させることができる。
【００４０】
選局部１７８は、入力部１２から入力された操作信号から放送信号を受信するチャンネルを識別する。選局部１７８は、識別したチャンネルを指示する選局信号を生成し、生成した選局信号を放送受信部１１に出力する。
【００４１】
レベル制御部１７９は、ＳＩ処理部１７６から入力された輝度情報と番組情報に基づいて放送映像の信号レベルを制御する。レベル制御部１７９は、ＳＩ処理部１７６から入力された輝度情報に基づいて、放送番組データに含まれる映像データの輝度が基準値よりも高いか否か判定する。
【００４２】
なお、送信装置２０が送信する映像データには、特定のディスプレイ装置におけるＥＯＴＦ（基準ＥＯＴＦ）の特性を相殺するために信号値に予めＯＥＴＦ（光電伝達関数）がかけられていることがある。表示部１５からの最終の出力値（輝度）が映像データの当初の入力値の一定の倍率となるように、レベル制御部１７９は、制限された信号値について所定の補正係数を用いて補正する。この補正は、ガンマ補正と呼ばれることがある。補正係数は、入力値と出力値との関係を示す変換テーブルとして与えられてもよい。ＳＤＲとＨＤＲとでは、補正係数が異なることがある。
レベル制御部１７９は、最大値を制限した信号値に対応する補正係数を用いて信号値を補正する。
【００４３】
次に、本実施形態にかかる受信装置１０の動作を図１０のフローチャートを用いて説明する。
（ステップＳ１０１）分離部１７２は、受信した放送信号で搬送された多重化データからサービス情報を分離する。ＳＩ処理部１７６は、分離されたサービス情報を解析して輝度情報と番組情報を取得する。その後、ステップＳ１０２の処理に進む。
（ステップＳ１０２）表示制御部１７７は、ＳＩ処理部１７６から得られる輝度情報を取得すると、表示部１５または記憶部１６から得られるディスプレイ輝度データを取得する。
（ステップＳ１０３）表示制御部１７７は、ＯＳＤ表示要求があったか否かを判定する。このＯＳＤ表示要求は、例えば、制御装置ＲＣから、ＯＳＤ表示を行なうことを指示するボタンが押下されたことを表す信号が入力部１２を介して入力されたか否かに基づいて判断する。表示制御部１７７は、ＯＳＤ表示要求が無ければ、ステップＳ１０１の処理に戻り、ＯＳＤ表示要求があれば、ステップＳ１０４の処理に移行する。
【００４４】
（ステップＳ１０４）表示制御部１７７は、ＯＳＤ表示要求が入力された場合、さらに、番組表とともに表示するか否かを判定する。例えば、表示制御部１７７は、ＯＳＤ画面の表示要求において、番組表（電子番組表）を表示する要求である場合には、ステップＳ１０５の処理に移行し、番組表（電子番組表）を表示する要求ではなく、表示部１５に表示させるコンテンツに関する情報を表示する要求である場合には、ステップＳ１０７の処理に移行する。
【００４５】
（ステップＳ１０５）表示制御部１７７は、映像輝度情報とディスプレイ輝度データとに基づいて、この映像輝度情報とディスプレイ輝度データとの関係に応じた表示態様の輝度情報表示画面を生成し、映像処理部１７４に出力する。
（ステップＳ１０６）映像処理部１７４は、分離部１７２から得られる映像データに対し、表示制御部１７７から得られる輝度情報表示画面または番組表画面を合成し、表示部１５に表示させる。
（ステップＳ１０７）。表示制御部１７７は、番組表において、映像輝度情報とディスプレイ輝度データとの関係に応じた表示態様でコンテンツ情報を表示する番組表画面を生成する。
【００４６】
次に、受信装置１０の表示部１５に表示される情報の一例について説明する。
図１１は、表示部１５に表示される情報の一例を説明する概念図である。表示部１５は、映像データを表示する画面上に、コンテンツ情報１００が合成された画面を表示する。このコンテンツ情報としては、例えば、現在表示部１５上に表示されているコンテンツに関する各種情報を含む情報である。
図１２は、表示部１５に表示されるコンテンツ情報の一例を示す概念図である。コンテンツ情報１００には、コンテンツの名称１０１、コンテンツがHDR方式であるかSDR方式であるかを示す方式情報１０２、コンテンツの輝度を表すコンテンツ輝度情報１０３、ディスプレイ（表示部１５）が表示可能な輝度を表すディスプレイ輝度情報１０４が含まれる。この図に示すように、映像輝度情報に応じた情報としては、方式情報１０２とコンテンツ輝度情報１０３とがテキスト（文字）によって画面上に表示されるとともに、表示輝度情報としては、ディスプレイ輝度情報１０４がテキストによって画面上に表示される。ここでは、「○○選手権ワールドゴルフ」という番組が、HDR方式であり、１０００ｃｄ／ｍ２の明るさであることが表示されるとともに、ディスプレイ輝度が１０００ｃｄ／ｍ２であることが表示される。このような情報が、コンテンツの画面上に合成されて表示されることにより、ユーザは、コンテンツの輝度とディスプレイが表示可能な輝度とが一致していることを把握することができる。
【００４７】
図１３は、表示部１５に表示される他の表示例を説明する概念図である。表示制御部１７７は、コンテンツ情報１００に対し、コンテンツの名称１０１を表示するとともに、このコンテンツの方式情報１０２とコンテンツ輝度情報１０３とディスプレイ輝度情報１０４とを表示する画面を生成する。ここでは、コンテンツ輝度情報１０３とディスプレイ輝度情報１０４との間には、コンテンツ輝度情報１０３からディスプレイ輝度情報１０４に向かう方向の矢印の形状をしたアイコンが追加される。これにより、表示部１５は、コンテンツ輝度情報１０３が１０００ｃｄ／ｍ２であることに対して、ディスプレイ輝度情報１０４が１０００ｃｄ／ｍ２にて表示されていることがユーザに対して明示的に表示することができる。
【００４８】
図１４は、表示部１５に表示される他の表示例を説明する概念図である。この例において、表示制御部１７７は、コンテンツ輝度情報の輝度とディスプレイ輝度情報との大小関係に応じた表示態様で表示する。コンテンツ輝度情報の輝度とディスプレイ輝度情報との大小関係に応じた表示態様として、この例においては、コンテンツ情報１００において、コンテンツの名称１０１と、方式情報１０２と、コンテンツ輝度情報１０３とが表示される。この場合、表示制御部１７７は、コンテンツ輝度情報とディスプレイ輝度情報とを比較し、ディスプレイ輝度情報が表す輝度よりもコンテンツ輝度情報が表す輝度の方が大きい場合に、コンテンツ輝度情報１０３を第１の表示色にて表示し、ディスプレイ輝度情報が表す輝度がコンテンツ輝度情報が表す輝度以下の場合に、コンテンツ輝度情報１０３を第２の表示色にて表示する。第１の表示色と第２の表示色は、異なる色であれば、任意の色を用いることができる。第１の表示色は、例えば赤であり、第２の表示色は青である。このように、コンテンツ輝度情報１０３の表示色を、コンテンツ輝度情報とディスプレイ輝度情報と大小関係に応じた色にて表示することにより、コンテンツ輝度情報１０３とディスプレイ輝度情報との関係を明示的に表示することができる。この図において、コンテンツ輝度情報とディスプレイ輝度情報との比較結果に応じて、コンテンツ輝度情報１０３を異なる色で表示する場合について説明したが、コンテンツ輝度情報とディスプレイ輝度情報との比較結果に応じて、ディスプレイ輝度情報を異なる色で表示するようにしてもよい。また、表示色は赤と青に限られるものではなく、比較結果が把握できれば、他の色にて表示するようにしてもよい。
【００４９】
図１５は、表示部１５に表示される他の表示例を説明する概念図である。この例において、表示制御部１７７は、コンテンツ輝度情報の輝度とディスプレイ輝度情報との大小関係に応じた表示態様で表示するにあたり、方式情報１０２を表示する表示態様を変えて表示する。具体的に、表示制御部１７７は、コンテンツ情報１００に、コンテンツの名称１０１と方式情報１０２とを表示する。この方式情報１０２は、コンテンツ輝度情報の輝度とディスプレイ輝度情報との大小関係に応じた表示態様にて表示される。この例において、表示制御部１７７は、コンテンツ輝度情報とディスプレイ輝度情報とを比較し、ディスプレイ輝度情報が表す輝度よりもコンテンツ輝度情報が表す輝度の方が大きい場合に、方式情報１０２を第１の表示色にて表示し、ディスプレイ輝度情報が表す輝度がコンテンツ輝度情報が表す輝度以下の場合に、方式情報１０２を第２の表示色にて表示する。第１の表示色と第２の表示色は、異なる色であれば、任意の色を用いることができる。その一例として、第１の表示色は、例えば赤であり、第２の表示色は青である。方式情報１０２を表示するにあたり、「ＨＤＲ」や「ＳＤＲ」の文字の色を比較結果に応じて表示してもよいし、「ＨＤＲ」や「ＳＤＲ」の文字を表示する背景の色を比較結果に応じて表示してもよい。このように、方式情報１０２の表示色を、コンテンツ輝度情報とディスプレイ輝度情報と大小関係に応じた色にて表示することにより、コンテンツ輝度情報１０３とディスプレイ輝度情報との関係を明示的に表示することができる。表示色は赤と青に限られるものではなく、比較結果が把握できれば、他の色にて表示するようにしてもよい。
【００５０】
図１６は、表示部１５に表示される他の表示例を説明する概念図である。この例において、表示制御部１７７は、コンテンツ輝度情報に対するディスプレイ輝度情報の比（再現率）に応じて異なる表示態様で表示する輝度情報表示画面を生成する。表示制御部１７７は、映像データ１６０の画面上に、輝度情報表示画面１６１を合成した画面を映像処理部１７４によって合成させ、表示部１５に表示させる。
輝度情報表示画面１６１としては、例えば、所定の図形（星型、円、四角形などの図形や記号等）を並べて表示する画面であり、その図形の色が、コンテンツ輝度情報に対するディスプレイ輝度情報の比に応じて異なる表示態様で表示される。表示制御部１７７は、輝度情報表示画面１６１に複数表示される所定の図形のうち、コンテンツ輝度情報に対するディスプレイ輝度情報の比に応じて、色を変更する図形の数を決め、その数に応じた図形の色を変えた輝度情報表示画面１６１を生成し、映像処理部１７４によって映像データに対して合成させ、表示部１５に表示させる。この図においては、所定の図形を表示させる個数を３つである場合について説明するが、複数であれば、他の個数であってもよい。コンテンツ輝度情報に対するディスプレイ輝度情報の比が１００％である場合には、所定の図形の３つ全てを第２の表示色（例えば青）にて表示し、コンテンツ輝度情報に対するディスプレイ輝度情報の比が１００％未満かつ７０％以上の範囲である場合には、所定の図形のうち２つを第２の表示色にて表示し、残りの１つを第１の表示色（例えば赤）にて表示する。コンテンツ輝度情報に対するディスプレイ輝度情報の比が７０％未満かつ５０％以上の範囲である場合には、所定の図形のうち１つを第２の表示色にて表示し、残りの２つを第１の表示色にて表示する。コンテンツ輝度情報に対するディスプレイ輝度情報の比が５０％未満である場合には、所定の図形のうち３つとも第１の表示色にて表示する
（符号１６２）。この図において、輝度情報表示画面１６１には、所定の図形のうち、２つが第２の表示色にて表示され、１つが第１の表示色にて表示されているため、コンテンツ輝度情報に対するディスプレイ輝度情報の比が１００％未満かつ７０％以上の範囲であることが明示的に表示される。
【００５１】
この図１６において、コンテンツ輝度情報に対するディスプレイ輝度情報の比について、所定の図形を複数表示させつつ、その比に応じて所定の図形の色を変えて表示するようにしたが、所定の図形を１つ表示し、その比に応じて所定の図形の表示サイズを変えて表示するようにしてもよい。例えば、所定の図形のサイズは、コンテンツ輝度情報に対するディスプレイ輝度情報の比が１００％に近いほどを大きくなり、比が０％に近いほど小さくなるようにしてもよい。また、サイズが異なることが解るように、比が１００％である場合には、所定の図形の内部を全て第２の表示色で表示し、比が１００％未満である場合には、比が１００％である場合のサイズの図形のうち、第１の表示色と第２の表示色で表示する面積の割合を変えるようにしてもよい。例えば、コンテンツ輝度情報に対するディスプレイ輝度情報の比が５０％である場合には、所定の図形のうち半分が第１の表示色で表示され、残りの半分が第２の表示色で表示されるようにしてもよい。
【００５２】
図１７は、表示部１５に表示される他の表示例を説明する概念図である。この例において、表示制御部１７７は、コンテンツ輝度情報とディスプレイ輝度情報とに応じた情報を、番組表とともに表示部１５に表示させる。この図における番組表は、コンテンツ輝度情報とディスプレイ輝度情報との大小関係に応じた輝度情報表示画面（例えば符号１７０）が、そのコンテンツを説明する番組表のコマの領域内に収まるようにレイアウトされて表示される。ここでは、表示制御部１７７は、コンテンツ輝度情報の輝度とディスプレイ輝度情報との大小関係に応じた表示態様（異なる色）にて方式情報を表示させる。表示制御部１７７が表示態様を決定する処理は上述の例（例えば図１５）と同様であるので、その説明を省略する。
この図において、輝度情報表示画面１７０は、１つの番組に対して表示される場合について説明したが、サービス情報を取得することができれば、他の番組についてもそれぞれディスプレイ輝度情報と比較し、その比較結果に応じた輝度情報表示画面を表示するようにしてもよい。
この例によれば、これから放送されるコンテンツや複数のチャンネルのコンテンツのそれぞれに対し、輝度情報表示画面を表示することができるので、視聴する番組を選択や確認をする際に、輝度情報表示画面も一緒に確認することができる。
【００５３】
図１８は、表示部１５に表示される他の表示例を説明する概念図である。この例において、表示制御部１７７は、コンテンツ輝度情報とディスプレイ輝度情報とに応じた情報を、現在のコンテンツを表示する表示画面に並べられる裏番組表とともに表示部１５に表示させる。ここでは、表示部１５の表示画面の領域の一部に、表示対象のコンテンツ（選択されたチャンネルの番組）が表示されるとともに、残りの領域に対し、裏番組（または表示中のコンテンツと裏番組とを含む番組）のコンテンツ情報が表示される。そして、この裏番組のコンテンツ情報に、輝度情報表示画面（例えば符号１８０）が表示される。これにより、表示中のコンテンツだけでなく、現在放送されている他のチャンネルのコンテンツについても輝度情報表示画面を表示することができる。
【００５４】
図１９は、表示部１５に表示される他の表示例を説明する概念図である。この例において、表示制御部１７７は、コンテンツ輝度情報とディスプレイ輝度情報とに応じた情報を、番組表において表示する際に、各コンテンツ情報に対応するコマ（領域）の表示色を変えることで表示する。表示制御部１７７は、番組表１９０において、表示される番組表における各コンテンツのコンテンツ情報のコンテンツ輝度情報に基づいて、ディスプレイ輝度情報と比較し、その再現率をそれぞれ算出し、算出結果に応じて、コマの表示色を変える。例えば、再現率が７０％以上であるコンテンツ情報は、コマの表示色を第２の表示色（例えば白）にて表示し（例えば、コマ１９１）、再現率が７０％未満であるコンテンツ情報は、コマの表示色を第１の表示色（例えばグレー）にて表示する（例えば、コマ１９２）。表示制御部１７７が再現率を算出する処理は上述の例（例えば図１６）と同様であるので、その説明を省略する。
これにより、ユーザに対し、コンテンツ輝度情報とディスプレイ輝度情報との関係を番組表においても明示的に表示することができる。また、ここでは、それぞれコンテンツ情報を表示する背景の色で表現するようにしたので、その色を確認するだけで、コンテンツ輝度情報とディスプレイ輝度情報との関係を直感的に把握することができる。
【００５５】
図２０は、表示部１５に表示される他の表示例を説明する概念図である。この例において、表示制御部１７７は、コンテンツ輝度情報とディスプレイ輝度情報とに応じた情報を、現在のコンテンツを表示する表示画面に並べられる裏番組表の背景色を変えて表示部１５に表示させる。図１８では、裏番組のコンテンツ情報を表示する際に、輝度情報表示画面を文字として表示していたが、図２０に示す例では、輝度情報表示画面を文字として表示するのではなく、裏番組のコンテンツ情報の背景色を変えて表示する。例えば、裏番組におけるコンテンツ情報（例えば符号２００）について、表示制御部１７７は、表示される裏番組における各コンテンツのコンテンツ輝度情報に基づいて、ディスプレイ輝度情報と比較し、その再現率をそれぞれ算出し、算出結果に応じて、コマの表示色を変える。例えば、再現率が７０％以上であるコンテンツ情報は、コマの表示色を第２の表示色（例えば白）にて表示し（例えば、コマ２０１）、再現率が７０％未満であるコンテンツ情報は、コマの表示色を第１の表示色（例えばグレー）にて表示する（例えば、コマ２０２）。これにより、ユーザに対し、コンテンツ輝度情報とディスプレイ輝度情報との関係を裏番組においても明示的に表示することができる。
【００５６】
図２１、図２２は、表示部１５に表示される他の表示例を説明する概念図である。図２１において、表示制御部１７７は、表示部１５の表示画面２１０Ａにおける下方側に映像データ２１１を表示させるとともに、表示画面２１０Ａにおける上方側に輝度情報表示画面２１２と設定画面呼び出しボタン２１３を表示させる。輝度情報表示画面２１２には、現在表示されているコンテンツ（映像データ２１１）の方式情報（ここでは一例として「ＨＤＲ」）とコンテンツの輝度値とディスプレイの輝度値との関係を表す図形が表示される。ユーザは、このコンテンツの輝度値とディスプレイの輝度値との関係を表す図形を参照し、必要に応じて、設定画面呼び出しボタン２１３を制御装置ＲＣ等を介して押下することにより、表示部１５が表示する輝度の設定値を変更することが可能である。
【００５７】
図２１と図２２を用いて、コンテンツの輝度値とディスプレイの輝度値との関係についてさらに説明する。輝度情報表示画面２２０Ａは、輝度情報表示画面２１２のうち、方式情報を表す情報（例えば「ＨＤＲコンテンツ」）が、コンテンツ輝度情報を表す図（例えば符号２２１に示す棒グラフ）に対して横方向に並ぶように配置され、ディスプレイ輝度が表される情報であることを説明する文字列（例えば「ディスプレイ」）が、ディスプレイ輝度情報を表す図（例えば符号２２２に示す棒グラフ）に対して横方向に並ぶように配置される。コンテンツの輝度値は、ＨＤＲコンテンツの輝度値（ＨＤＲコンテンツ輝度情報）を示す。ディスプレイの輝度値は、ディスプレイが表示可能な最大輝度に対して調整等によって設定された現在の最大輝度を示す。
【００５８】
ユーザは、このＨＤＲコンテンツの輝度値と現在のディスプレイ設定値から、本来、表現されるべき輝度（ＨＤＲコンテンツの輝度値）に対して、現在のディスプレイによって表示できる輝度（ディスプレイ設定値）の比率を図形を介して直感的に把握することが可能である。そしてユーザは、この表示画面に基づいて、必要に応じて設定画面呼び出しボタン２１３を制御装置ＲＣ等を介して押下することで、ディスプレイの表示輝度を変更することができる。
例えば、ここでは、現在設定されている表示部１５の輝度の設定値が、ＨＤＲコンテンツの輝度値よりも小さく、かつ、表示部１５が表示可能な最大輝度よりも小さい。そのため、ユーザは、必要に応じて、表示部１５の輝度の設定値を設定画面呼び出しボタン２１３を押下し、表示部１５の最大輝度に近づけるように変更することで、ＨＤＲコンテンツの輝度値に近づけるようにし、コンテンツを表示させることが可能となる。
【００５９】
以上説明した実施形態によれば、コンテンツの最大輝度とディスプレイの表示輝度との大小関係に応じて、コンテンツ情報の色やフォントを変更して表示するようにしたので、ユーザは、簡単にコンテンツとディスプレイの輝度の齟齬を把握することができる。また、コンテンツの最大輝度とディスプレイの表示輝度との大小関係を把握可能に表示することができるため、ユーザは、この表示された情報に基づいて、コンテンツおよびディスプレイの輝度を調整することも可能であり、輝度の齟齬が解消し、最適な状態で視聴することもできる。
【００６０】
なお、上述した実施形態において、分離部１７２は、放送受信部１１によって得られた放送信号であって、復調部１７１によって復調された多重化データから放送番組データとサービス情報とを分離する場合について説明した。しかし、分離部１７２は、サービス情報を含む情報をインターネット等のネットワークを介して受信したデータからサービス情報を得るようにしてもよいし、ＨＤＭＩ（登録商標）等の外部入力端子を介して得られるデータからサービス情報を得るようにしてもよい。
【００６１】
また、上述の実施形態は、輝度値に基づいて、表示態様を変える場合について説明するようにしたが、輝度を表す信号値を用いるようにしてもよい。
また、上述の実施形態は、映像輝度情報とディスプレイ輝度データとの関係に応じた表示態様で表示部に表示させる場合について説明したが、映像輝度情報とディスプレイ輝度データとの関係に応じた態様の音声によってスピーカー等から出力するようにしてもよい。例えば、制御部１７が、「映像の輝度が、表示画面で表示する際の輝度を超えています」等のメッセージを拡声部１４から音声で出力するようにしてもよい。すなわち、画面上への表示またはスピーカー等からの放音のうち少なくとも一方によって、視聴者に対して報知するようにしてもよい。
【００６２】
上述した実施形態における受信装置１０をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Field Programmable Gate Array）等のプログラマブルロジックデバイスを用いて実現されるものであってもよい。
【００６３】
以上、この発明の実施形態について図面を参照して詳述してきたが、具体的な構成はこの実施形態に限られるものではなく、この発明の要旨を逸脱しない範囲の設計等も含まれる。
【符号の説明】
【００６４】
１…放送システム、１０…受信装置、１１…放送受信部、１２…入力部、１４…拡声部、１５…表示部、１６…記憶部、１７…制御部、１７１…復調部、１７２…分離部、１７３…音声処理部、１７４…映像処理部、１７５…表示処理部、１７６…ＳＩ処理部、１７７…表示制御部、１７８…選局部、１７９…レベル制御部、２０…送信装置、２１０…サービス情報取得部、２２０…放送コンテンツ取得部、２３０…多重化部、２４０…変調部、２５０…送信部、ＢＴ…放送伝送路、ＢＳ…放送衛星、ＲＣ…制御装置
【図１】
2017184205.tif 000003
【図２】
2017184205.tif 000004
【図３】
2017184205.tif 000005
【図４】
2017184205.tif 000006
【図５】
2017184205.tif 000007
【図６】
2017184205.tif 000008
【図７】
2017184205.tif 000009
【図８】
2017184205.tif 000010
【図９】
2017184205.tif 000011
【図１０】
2017184205.tif 000012
【図１１】
2017184205.tif 000013
【図１２】
2017184205.tif 000014
【図１３】
2017184205.tif 000015
【図１４】
2017184205.tif 000016
【図１５】
2017184205.tif 000017
【図１６】
2017184205.tif 000018
【図１７】
2017184205.tif 000019
【図１８】
2017184205.tif 000020
【図１９】
2017184205.tif 000021
【図２０】
2017184205.tif 000022
【図２１】
2017184205.tif 000023
【図２２】
2017184205.tif 000024
【手続補正書】
【提出日】平成29年6月7日(2017.6.7)
【手続補正１】
【補正対象書類名】特許請求の範囲
【補正対象項目名】全文
【補正方法】変更
【補正の内容】
【特許請求の範囲】
【請求項１】
接続される表示装置にコンテンツを出力させるコンテンツ処理装置であって、
コンテンツと多重されるサービス情報から、前記コンテンツの映像輝度情報を取得する第１取得部と、
表示装置が表示する際の表示輝度情報を取得する第２取得部と、
前記映像輝度情報と前記表示輝度情報に基づく情報を、前記表示装置を介して前記コンテンツを視聴する視聴者へ報知する情報処理部と、
前記映像輝度情報と前記表示輝度情報に基づいて、前記映像輝度情報が表す輝度と前記表示輝度情報が表す輝度の大小関係に応じた表示態様で表示する輝度情報表示画面を生成する表示画面生成部を有し、
前記情報処理部は、前記コンテンツに関する情報を表示する画面とともに、前記生成された輝度情報表示画面を前記表示装置に表示させ、
前記表示画面生成部は、
前記映像輝度情報が表す輝度に対する前記表示輝度情報が表す輝度の比が所定の比以上であるか否かに応じて前記コンテンツの番組表におけるコンテンツ情報のコマの表示色を変えて表示する輝度情報表示画面を生成する
コンテンツ処理装置。
【請求項２】
接続される表示装置にコンテンツを出力させるコンテンツ処理装置であって、
コンテンツと多重されるサービス情報から、前記コンテンツの映像輝度情報を取得する第１取得部と、
表示装置が表示する際の表示輝度情報を取得する第２取得部と、
前記映像輝度情報と前記表示輝度情報に基づく情報を、前記表示装置を介して前記コンテンツを視聴する視聴者へ報知する情報処理部と、
前記映像輝度情報と前記表示輝度情報に基づいて、前記映像輝度情報が表す輝度と前記表示輝度情報が表す輝度との関係を表す図形を表示する輝度情報表示画面を生成する表示画面生成部を有し、
前記情報処理部は、前記コンテンツに関する情報を表示する画面とともに、前記生成された輝度情報表示画面を前記表示装置に表示させる、
コンテンツ処理装置。
【請求項３】
前記情報処理部は、
前記コンテンツに関する情報を表示する画面に前記映像輝度情報と前記表示輝度情報に基づく情報を映像データに対して合成し前記表示装置に表示させる
請求項１または請求項２記載のコンテンツ処理装置。
【請求項４】
接続される表示装置にコンテンツを出力させるコンテンツ処理装置であって、
コンテンツと多重されるサービス情報から、前記コンテンツの映像輝度情報を取得する第１取得部と、
表示装置が表示する際の表示輝度情報を取得する第２取得部と、
前記映像輝度情報と前記表示輝度情報に基づく情報を、前記表示装置を介して前記コンテンツを視聴する視聴者へ報知する情報処理部とを有し、
前記情報処理部は、前記映像輝度情報と前記表示輝度情報に基づく情報を、前記コンテンツの番組表におけるコンテンツ情報のコマの背景の表示態様を変えて前記表示装置に表示させる
コンテンツ処理装置。
【請求項５】
前記第２取得部は、
当該表示装置または前記表示輝度情報を記憶する記憶領域から前記表示輝度情報を取得する
請求項１から請求項４のうちいずれか１項に記載のコンテンツ処理装置。
【請求項６】
前記表示装置を含んで構成される
請求項１から請求項５のうちいずれか１項に記載のコンテンツ処理装置。
【請求項７】
コンテンツを受信する受信装置と、表示装置と、前記受信したコンテンツを前記表示装置に出力させるコンテンツ処理装置とを含むテレビジョン受信装置であって、
前記コンテンツ処理装置は、
請求項１から請求項６のうちいずれか１項に記載されたコンテンツ処理装置である
テレビジョン受信装置。
【請求項８】
接続される表示装置にコンテンツを出力させるコンテンツ処理装置における情報処理方法であって、
第１取得部が、コンテンツと多重されるサービス情報から、前記コンテンツの映像輝度情報を取得する第１ステップと、
第２取得部が、表示装置が表示する際の表示輝度情報を当該表示装置から取得する第２ステップと、
情報処理部が、前記映像輝度情報と前記表示輝度情報に基づく情報を、前記表示装置を介して前記コンテンツを視聴する視聴者へ報知する第３ステップと、
表示画面生成部が、前記映像輝度情報と前記表示輝度情報に基づいて、前記映像輝度情報が表す輝度と前記表示輝度情報が表す輝度の大小関係に応じた表示態様で表示する輝度情報表示画面を生成する第４ステップと、を有し、
前記第３ステップでは、前記情報処理部が、前記コンテンツに関する情報を表示する画面とともに、前記生成された輝度情報表示画面を前記表示装置に表示させ、
前記第４ステップでは、前記表示画面生成部が、前記映像輝度情報が表す輝度に対する前記表示輝度情報が表す輝度の比が所定の比以上であるか否かに応じて前記コンテンツの番組表におけるコンテンツ情報のコマの表示色を変えて表示する輝度情報表示画面を生成する
コンテンツ処理装置における情報処理方法。
【請求項９】
接続される表示装置にコンテンツを出力させるコンテンツ処理装置における情報処理方法であって、
第１取得部が、コンテンツと多重されるサービス情報から、前記コンテンツの映像輝度情報を取得する第１ステップと、
第２取得部が、表示装置が表示する際の表示輝度情報を取得する第２ステップと、
情報処理部が、前記映像輝度情報と前記表示輝度情報に基づく情報を、前記表示装置を介して前記コンテンツを視聴する視聴者へ報知する第３ステップと、
表示画面生成部が、前記映像輝度情報と前記表示輝度情報に基づいて、前記映像輝度情報が表す輝度と前記表示輝度情報が表す輝度との関係を表す図形を表示する輝度情報表示画面を生成する第４ステップと、を有し、
前記第３ステップでは、前記情報処理部が、前記コンテンツに関する情報を表示する画面とともに、前記生成された輝度情報表示画面を前記表示装置に表示させる
コンテンツ処理装置における情報処理方法。
【請求項１０】
接続される表示装置にコンテンツを出力させるコンテンツ処理装置における情報処理方法であって、
第１取得部が、コンテンツと多重されるサービス情報から、前記コンテンツの映像輝度情報を取得する第１ステップと、
第２取得部が、表示装置が表示する際の表示輝度情報を取得する第２ステップと、
情報処理部が、前記映像輝度情報と前記表示輝度情報に基づく情報を、前記表示装置を介して前記コンテンツを視聴する視聴者へ報知する第３ステップと、を有し、
前記第３ステップでは、前記情報処理部が、前記映像輝度情報と前記表示輝度情報に基づく情報を、前記コンテンツの番組表におけるコンテンツ情報のコマの背景の表示態様を変えて前記表示装置に表示させる
コンテンツ処理装置における情報処理方法。
【請求項１１】
接続される表示装置にコンテンツを出力させるコンテンツ処理装置のコンピュータを、請求項１から請求項６のうちいずれか１項に記載のコンテンツ処理装置として動作させるためのプログラムであって、前記コンピュータを前記コンテンツ処理装置が備える各部として機能させるためのプログラム。
【手続補正２】
【補正対象書類名】明細書
【補正対象項目名】０００６
【補正方法】変更
【補正の内容】
【０００６】
上述した課題を解決するために、本発明は、接続される表示装置にコンテンツを出力させるコンテンツ処理装置であって、コンテンツと多重されるサービス情報から、前記コンテンツの映像輝度情報を取得する第１取得部と、表示装置が表示する際の表示輝度情報を取得する第２取得部と、前記映像輝度情報と前記表示輝度情報に基づく情報を、前記表示装置を介して前記コンテンツを視聴する視聴者へ報知する情報処理部と、前記映像輝度情報と前記表示輝度情報に基づいて、前記映像輝度情報が表す輝度と前記表示輝度情報が表す輝度の大小関係に応じた表示態様で表示する輝度情報表示画面を生成する表示画面生成部を有し、前記情報処理部は、前記コンテンツに関する情報を表示する画面とともに、前記生成された輝度情報表示画面を前記表示装置に表示させ、前記表示画面生成部は、前記映像輝度情報が表す輝度に対する前記表示輝度情報が表す輝度の比が所定の比以上であるか否かに応じて前記コンテンツの番組表におけるコンテンツ情報のコマの表示色を変えて表示する輝度情報表示画面を生成する。
また、本発明は、接続される表示装置にコンテンツを出力させるコンテンツ処理装置であって、コンテンツと多重されるサービス情報から、前記コンテンツの映像輝度情報を取得する第１取得部と、表示装置が表示する際の表示輝度情報を取得する第２取得部と、前記映像輝度情報と前記表示輝度情報に基づく情報を、前記表示装置を介して前記コンテンツを視聴する視聴者へ報知する情報処理部と、前記映像輝度情報と前記表示輝度情報に基づいて、前記映像輝度情報が表す輝度と前記表示輝度情報が表す輝度との関係を表す図形を表示する輝度情報表示画面を生成する表示画面生成部を有し、前記情報処理部は、前記コンテンツに関する情報を表示する画面とともに、前記生成された輝度情報表示画面を前記表示装置に表示させる。
また、本発明は、接続される表示装置にコンテンツを出力させるコンテンツ処理装置であって、コンテンツと多重されるサービス情報から、前記コンテンツの映像輝度情報を取得する第１取得部と、表示装置が表示する際の表示輝度情報を取得する第２取得部と、前記映像輝度情報と前記表示輝度情報に基づく情報を、前記表示装置を介して前記コンテンツを視聴する視聴者へ報知する情報処理部とを有し、前記情報処理部は、前記映像輝度情報と前記表示輝度情報に基づく情報を、前記コンテンツの番組表におけるコンテンツ情報のコマの背景の表示態様を変えて前記表示装置に表示させる。